(57)【要約】【課題】意匠性の良い照明装置の提供をする。【解決手段】平面部２１１と側面部２１２とからなる箱形状をした照明器具２００に、光源ユニット１００が側面部２１２との間に換気のための隙間を形成するよう取り付けされている照明装置１であって、端子台取付金具２５０は端子台２４０を光源ユニット１００との間に側面部２１２が配置されるように照明器具２００に固定している。よって、端子台２４０を照明器具２００の外側に配置することができ、光源ユニット１００と照明器具２００との隙間から端子台２４０が見えるのを防ぐことができる。【選択図】          図３
2018113147.tif 000002
【特許請求の範囲】
【請求項１】
平面部、この平面部の少なくとも一つの側面に設けられる側面部からなる照明器具と、
前記平面部と対向するように前記照明器具に配設される光源ユニットと、
端子台と、
前記光源ユニットとの間に前記側面部が配置されるように前記照明器具の外側に前記端子台を固定する端子台取付部と、
を備えていることを特徴とする照明装置。
【請求項２】
前記照明器具は、前記平面部と前記光源ユニットの間に前記光源ユニットの点灯制御をする点灯装置を有しており、
前記平面部は、前記光源ユニットに覆われるともに、前記端子台と前記点灯装置に接続する第一の電線部が挿通される電源孔が設けられていることを特徴とする請求項１に記載の照明装置。
【請求項３】
前記端子台取付部は、前記電線孔と前記端子台を覆う取付部笠部を有していることを特徴とする請求項１または請求項２のいずれか一項に記載の照明装置。
【請求項４】
前記光源ユニットは、前記側面部との間に隙間が形成されるように前記照明器具に取り付けられ、前記平面部には通気の為の開口が形成されていることを特徴とする請求項１から請求項３のいずれか一項に記載の照明装置。
【発明の詳細な説明】
【技術分野】
【０００１】
本発明は、照明装置に関するものである。
【背景技術】
【０００２】
従来より、天井に取り付けられる照明装置において、箱形状をした照明器具と、この照明器具の内側に収納される光源ユニットとを備えた照明装置がある。
【０００３】
例えば、照明装置の内部に、光源ユニットを点灯させる為の点灯装置と、照明装置の外部から電力供給を受ける為に電線が差し込まれる端子台が収納されているものがある。（例えば、特許文献１）
【先行技術文献】
【特許文献】
【０００４】
【特許文献１】特開２０１３-１８７０３８号公報
【発明の概要】
【発明が解決しようとする課題】
【０００５】
しかしながら、特許文献１に記載されている照明装置は、室内の天井などに埋め込んで使用するものである。このような照明装置には、室内の空調システムの一部として室内の空気を空調ダクトなど室外へと排出する換気口として、光源ユニットと照明器具との間に隙間が形成されている。その為、この隙間から端子台が見えてしまうことがあった。よって、意匠性が良くなかった。
【０００６】
そこで、本発明は、上記のような課題を解決する為になされたもので、端子台を隠し、端子台が意匠性へ与える影響を抑制させた照明装置を提供することを目的とする。
【課題を解決するための手段】
【０００７】
本発明における照明装置は、平面部、この平面部の少なくとも一つの側面に設けられる側面部からなる照明器具と、前記平面部と対向するように前記照明器具に配設される光源ユニットと、端子台と、前記光源ユニットとの間に前記側面部が配置されるように前記照明器具の外側に前記端子台を固定する端子台取付部と、を備えていることを特徴とするものである。
【発明の効果】
【０００８】
本発明の照明装置は、端子台を隠し、端子台が意匠性へ与える影響を抑制させたものである。
【図面の簡単な説明】
【０００９】
【図１】実施の形態１における照明装置の斜視図である。
【図２】実施の形態１における照明装置の分解斜視図である。
【図３】図１の照明装置のＡ−Ａ´断面を示す断面図である。
【図４】図３に示す照明装置の下方向Ｚ２からみた平面図である。
【図５】実施の形態１における照明装置の側面図である。
【図６】図３に示す照明装置の上方向Ｚ１からみた平面図である。
【図７】実施の形態１における端子台および端子台取付部の分解斜視図である。
【発明を実施するための形態】
【００１０】
実施の形態１.
本実施の形態における照明装置は、端子台を照明器具の外側に配設したことで、端子台が照明装置の意匠性に与える影響を抑制したものである。
以下、本発明に係る実施の形態として、例えば、Ｔバーにより形成されたシステム天井に取り付けられる照明装置１について説明をする。
なお、システム天井は、開口もしくは格子領域が形成されるようにＴバーを配置して形成されたものであり、照明装置１はこの開口もしくは格子領域を塞ぐように取り付けられる。
【００１１】
図１および図２を参照して、照明装置１の各部の構成を説明する。
図１は本実施の形態における照明装置１の斜視図であり、図２は図１に示す照明装置１の分解斜視図である。
【００１２】
以下の説明では、図１に示す矢印のように、照明装置１の長手方向を長手方向Ｘ、短手方向を短手方向Ｙ、長手方向Ｘおよび短手方向Ｙに直交する方向を上下方向Ｚとする。また、照明装置１が照射する側であり床面側を下方向Ｚ２とし、下方向Ｚ２と反対側を上方向Ｚ１とする。
【００１３】
照明装置１は、光源ユニット１００と、照明器具２００とを備える。光源ユニット１００は、照明器具２００の内側に取り付けられる。照明器具２００は、図示しない天井に設けられた開口（例えば、上述のＴバーにより形成された開口）を塞ぐように挿し込まれ取り付けられる。
【００１４】
図２および図３を参照して、光源ユニット１００の各部の構成を説明する。
図３は図１に示す照明装置１のＡ−Ａ´断面図である。
光源ユニット１００は長尺に形成されており、発光素子１１１が基板１１２に実装された発光基板１１０と、この発光基板１１０が取り付けられたフレーム１２０と、発光基板１１０を覆うようにフレーム１２０に取り付けられたカバー１３０と、光源ユニット１００を照明器具２００に固定する為の光源取付部１４０を有している。
発光基板１１０は、長尺に形成された基板１１２に複数の発光素子１１１が直線状に実装されている。
フレーム１２０は、発光基板１１０が取り付けられる基板取付部１２１と、短手方向Ｙにおいて基板取付部１２１の両側から斜め方向に突設するように対に形成された反射部１２２を有している。対に形成された反射部１２２は、基板取付部１２１から互いに離れるに従って下方向Ｚ２に向って傾斜するように形成されている。
カバー１３０は、透過性を有する樹脂材料により形成されており、発光素子１１１からの光を拡散させ出射する。カバー１３０は断面が円弧形状であり、長尺に形成されている。
光源取付部１４０は、フレーム１２０の基板取付部１２１に接合する接合部１４１と、接合部から上方向Ｚ１に向って突設した脚部１４２を有している。脚部１４２は照明器具２００に固定され、光源ユニット１００は照明器具２００に固定される。
【００１５】
次に、図２から図７を参照して照明器具２００の各部の構成を説明する。
図４は図１に示す照明装置１の下方向Ｚ２からみた平面図である。図５は図１に示す照明装置１の側面図である。図６は図１に示す照明装置１の上方向Ｚ１からみた平面図である。図７は図２に示す端子台２４０および端子台取付部２５０の分解斜視図である。
【００１６】
照明器具２００は、一面が開口した箱形状をした器具本体２１０と、照明器具２００を天井に取り付けする為の連結部２２０と、器具本体２１０の内側に配設にされる点灯装置２３０と、器具本体２１０の外側に配設される端子台２４０と、端子台２４０を器具本体２１０取り付けする端子台取付部２５０、点灯装置２３０と端子台２４０を電気的に接続する第一の電線部２６０と、光源ユニット１００と点灯装置２３０を電気的に接続する第二の電線部２７０とを備えている。
【００１７】
器具本体２１０は、一面が開口した箱形状をしており、開口と対向する長方形状をした平面部２１１と、平面部板部２１１の側辺と開口との間に配設された側面部２１２を有している。
平面部２１１は、長方形状をした通気の為の開口である通気孔２１１ａと、第一の電線部２６０が挿通する電線孔２１１ｂが形成されている。通気孔２１１ａおよび電線孔２１１ｂは、平面部２１１の短手方向Ｙにおける中心側に寄って設けられている。
光源ユニット１００は、脚部１４２が平面部２１１に当接した状態でネジなどの係合部材により固定され器具本体２１０に固定される。このとき、通気孔２１１ａおよび、電線孔２１１ｂは下方向Ｚ２から上方向Ｚ１を見たときに光源ユニット１００によって覆われる。
また、器具本体２１０は、光源ユニット１００が取り付けられた状態において、短手方向Ｙの側面２１２ａと反射部１２２との間に隙間Ａができるように形成されている。この隙間Ａは通気孔２１１ａとともに、室内の空気を室外へと排出、あるいは室外の空気を室内へと吸入する空調用の給排気口となる。
【００１８】
連結部２２０は、照明装置１を天井に固定するものである。連結部２２０は、器具本体２１０の長手方向Ｘの側面２１２ｂに配設されており、側面２１２ｂから外側へ突設する突設部２２１と、突設部２２１の端部から下方向Ｚ２側へ突設した引掛部２２２を有している。連結部２２０は天井に設けられたＴバーなどに引っ掛けられ、照明装置１を天井に固定することができる。
【００１９】
点灯装置２３０は、端子台２４０を介して商用電源からの電力を光源ユニット１００に供給し、光源ユニット１００を点灯させるものである。
点灯装置２３０は、図示しない電源回路が内蔵された長尺形状をした電源本体部２３１と、電源本体部２３１の一端側に設けられ電力を入力する為の入力端子部２３２と、電源本体部２３１の他端側に設けられ電力を出力する為の出力端子部２３３とを備えている。
また、入力端子部２３２には端子台２４０と電気的に接続する為の第一の電線部２６０が接続されており、出力端子部２３３には光源ユニット１００と電気的に接続する為の第二の電線部２７０が接続されている。
点灯装置２３０は、通気孔２１１ａと併設するように器具本体２１０の平面部２１１に固定される。また、光源ユニット１００が器具本体２００に取り付けされた状態で下方向Ｚ２から上方向Ｚ１を見たときに、点灯装置２３０は光源ユニット１００に覆われる。つまり、光源ユニット１００と平面部２１１の間に配置されている。
【００２０】
端子台２４０は、器具本体２１０の外側において側面部２１２と併設するように配設されている。端子台２４０は、図示しない照明器具２００の外部からの電線と、点灯装置２３０と電気的に接続する為の第一の電線２６０が挿し込まれる。
端子台２４０は、例えば、電源線用端子台２４０ａの場合と、信号線用端子台２４０ｂの場合がある。電源線用端子台２４０ａの場合は、商用電源からの電力供給を受ける為の図示しない電源電線が接続され、商用電源から供給される電力を第一の電線部２６０を介して点灯装置２３０に供給する。信号線用端子台２４０ｂの場合は、光源ユニット２００の点灯状態を制御する為の図示しない信号線が接続され、送信される信号を第一の電線部２６０を介して点灯装置２３０へ送信する。本実施の形態は、１つの照明装置１に電源線用端子台２４０ａと信号線用端子台２４０ｂを備えているが、どちらか一方だけを備えていても構わない。
端子台２４０は矩形箱状であり、入力面２４１と、出力面２４２を有している。入力面２４１は外部から電線が挿し込まれる入力部２４１ａを有し、箱形状の一つの面に形成されている。入力面２４１は、端子台取付部２５０と当接する面の反対側の面に形成されている。出力面２４２は、第一の電線部２６０が挿し込まれる出力部２４２ａを有し、箱形状の面のなかで入力面２４１に対して交差する面に形成されている。出力面２４２は、端子台２４０の上方向Ｚ１側の面に形成されている。また、端子台２４０は入力面２４１から端子台取付部２５０側へ貫通した取付孔２４３が設けられている。
【００２１】
端子台取付部２５０は、端子台２４０を器具本体２１０の外側に固定するものであり、端子台２４０を固定する取付本体部２５１と、端子台２４０および第一の電線２６０を保護する取付笠部２５２を有している。
また、端子台取付部２５０は、端子台２４０を端子台２４０の下方向Ｚ２側の端部が連結部２２０の突設部２２１と略同等の位置になるように固定しており、端子台２４０がＴバーなどの天井の構成部材と干渉しないように固定している。
【００２２】
取付本体部２５１は、電源接続面２４１が平面部２１１と垂直であり、短手方向Ｙの側面部２１２ａと並行になるように、端子台２４０を器具本体２４０の外側に固定している。
取付本体部２５１は、器具本体２１０の平面部２１１に固定される本体部固定面２５１ａと、本体部固定面２５１ａに対して略垂直方向に突設するように設けられた端子台固定面２５１ｂを有している。
本体固定面２５１ａは板状に形成されており、端子台固定面２５１ｂが設けられた側辺と反対側の側辺の一部が四角状に切り欠きされた電線用開口２５１ａａが設けられている。電線用開口２５１ａａは、取付本体部２５１が器具本体２１０の平面部２１１に固定されたときに、本体固定面２５１ａが電線孔２１１ｂと干渉しないように設けられている。
端子台固定面２５１ｂは、端子台２４０が取付孔２４３を介してネジなど係合部材により固定されている。端子台固定面２５１ｂは固定面補強部２５１ｂａを有している。固定面補強部２５１ｂａは、端子台固定面２５１ｂに対して略垂直方向に突設するように対に設けられている。端子台固定面２５１ｂは固定面補強部２５１ｂａを有していることで、外部からの電線が挿し込まれたときに、電線を挿し込む力により端子台固定面２５１ｂが変形したり、また端子台固定面２５１ｂが変形することで電線の挿し込みに不良が起こったりすることを抑制することができる。
【００２３】
取付部笠部２５２は、取付本体部２５１を覆うように器具本体２１０の平面部２１１に固定されている。取付部笠部２５２を器具本体２１０に固定する笠脚部２５２ａと、端子台２４０および第一の電線部２６０を覆う笠本体部２５２ｂとを有している。
笠脚部２５２ａは、笠本体部２５２ａを平面部２１１から所定の間隔を設けた状態で平面部２１１に固定するものである。笠脚部２５２ａはＬ形状をしており、脚固定部２５２ａａと、脚立上部２５２ａｂを有している。脚立上部２５２ａｂは、平面部２１１と笠本体部２５１ｂの間に第一の電線部２６０が配置できる高さに形成されている。
笠本体部２５２ｂは、本体固定面２５１ａよりも大きく形成されており、電線孔２１１ｂおよび端子台２４０を覆うような大きさに形成されている。笠本体部２５２ｂは、電線孔２１１ｂおよび端子台２４０を覆う大きさで形成されていることで、第一の電線部２６０および端子台２４０の保護をするこができる。例えば、照明装置１を天井の開口に挿し込みするときに、第一の電線部２６０および端子台２４０が天井に設けられた構造物などと干渉し、損傷することを抑制することができる。また、第一の電線部２６０および端子台２４０に埃が蓄積することを抑制することができるともに、電線孔２１１ｂから器具本体２１０の内側に埃が侵入するのを抑制することができる。
【００２４】
本実施の形態は、平面部２１１と側面部２１２とからなる箱形状をした照明器具２００に、光源ユニット１００が側面部２１２との間に通気のための隙間を形成するよう取り付けされている照明装置１であって、端子台取付金具２５０は端子台２４０を光源ユニット１００との間に側面部２１２が配置されるように照明器具２００に固定している。よって、端子台２４０を照明器具２００の外側に配置することができ、光源ユニット１００と照明器具２００との隙間から端子台２４０が見えるのを防ぐことができる。つまり、端子台２４０が、照明装置１の意匠性に与える影響を抑制することができる。
【００２５】
また、本実施の形態は、端子台取付部２５０は、笠本体部２５２ｂが電線孔２１１ｂおよび端子台２４０を覆うような大きさに形成された取付部笠部２５２を有している。よって、端子台取付部２５０は、第一の電線部２６０および端子台２４０に他部材などが干渉することを抑制することができる。また、第一の電線部２６０および端子台２４０に埃が蓄積することを抑制することができるともに、電線孔２１１ｂから器具本体２１０の内側に埃が侵入するのを抑制することができる。
【００２６】
また、本実施の形態は、点灯装置２３０が平面部２１１と光源ユニット１００との間に配置され、電線穴１１ｂが平面部２１１の光源ユニット１００に覆われる位置に形成されており、第一の電線部２６０は端子台２４０から平面部２１１の外側の面にそって配置され電線穴２１１ｂより器具本体２１０の内側に挿通されている。よって、第一の電線部２６０は、器具本体２１０の外側および光源ユニット１００に覆われるように配置することができ、光源ユニット１００と照明器具２００との隙間から第一の電線部２６０が見えるのを防ぐことができる。つまり、第一の電線部２６０が、照明装置１の意匠性に与える影響を抑制することができる。
【００２７】
また、本実施の形態は、端子台２４０を器具本体２１０の外側に配設したことで、器具本体２１０の内側に収納される部品数を減らすことができ、器具本体２１０の内部空間を有効に活用することができる。更に、例えば、通気孔２１１ａを大きくすることができる。また、光源ユニット１００と側面部２１１との間の隙間を大きくすることができる。また、照明装置１の清掃時に、誤って端子台２４０に接触してしまうことを抑制することができる。
【００２８】
なお、本実施の形態は、第一の電線部２６０および第二の電線部２７０は、一本の電線からなる形態を図示しているが、途中でコネクタを設け着脱できるような機構であっても良い。
【００２９】
また、端子台取付部２６０に取り付けられる端子台２４０は、電源電線が挿し込まれ商用電源からの電力を点灯装置２４０に供給する機能の端子台に関して説明をおこなったが、調光の為の信号線が挿し込まれ点灯装置の調光制御の為の信号を送るような端子台が取り付けられても良い。また、端子台だけでなく、無線ユニットなどが取り付けられてもよい。
【００３０】
また、光源ユニット１００は、光源取付部１４０の脚部１４２が器具本体２１０の平面部２１１にネジにより固定される形態に関して説明を行なったが、光源ユニット１００および照明器具２００それぞれに係合部材を設けて取り付けするようなものでも良く、バネなどにより取り付けするものでも良い。
【００３１】
また、器具本体２１０は一面が開口した箱形状に関して説明を行なったが、光源ユニット１００との間に通気の為の隙間を有し、端子台２４０を外部に設置できるようなものであれば、箱形状以外の他面形状でも良く、円弧形状のものでも良い。
【００３２】
また、システム天井に取り付けられる照明装置１について説明したが、開口が形成された被取付部に形成された開口に埋め込まれるように取り付けされる照明装置であれば良い。
【符号の説明】
【００３３】
Ｘ  長手方向、Ｙ  短手方向、Ｚ  上下方向、Ｚ１  上方向、Ｚ２  下方向、１  照明装置、１００  光源ユニット、１１０  発光基板、１１１  発光素子、１１２  基板、１２０  フレーム、１２１  基板取付部、１２２  反射部、１３０  カバー、１４０  フレーム、１４１  接合部、１４２  脚部、２００  照明器具、２１０  器具本体、２１１  平面部、２１１ａ  通気孔、２１１ｂ  電線孔、２１２  側面部、２２０  連結部、２２１  突設部、２２２  引掛部、２３０  点灯装置、２３１  電源本体部、２３２  入力端子部、２３３  出力端子部、２４０  端子台、２４１  入力面、２４１ａ  入力部、２４２  出力面、２４２ａ  出力部、２４３  取付孔、２５０  端子台取付部、２５１  取付本体部、２５１ａ  本体固定面、２５１ａａ  電源用開口、２５１ｂ  端子台固定面、２５１ｂａ  固定面補強部、２５２  取付笠部、２５２ａ  笠脚部、２５２ｂ  笠本体部、２６０  第一の電線部、２７０  第二の電線部。
【図１】
2018113147.tif 000003
【図２】
2018113147.tif 000004
【図３】
2018113147.tif 000005
【図４】
2018113147.tif 000006
【図５】
2018113147.tif 000007
【図６】
2018113147.tif 000008
【図７】
2018113147.tif 000009